(57)【要約】【課題】  複数のタイプの面接の面接結果を効率よく菅理することを可能にする面接管理プログラム及びその装置を提供する。【解決手段】    面接管理システム１００では、レコーディング面接４１、Ｗｅｂ面接４３及び対面面接４５の面接結果を記録し、一元管理（一元管理手段）することを特徴とする。このように一元管理していることから、同一の検索画面から、共通の属性を指定（入力）して検索（検索手段）して表示（表示手段）できる。【選択図】図２
2018181257.tif 000002
【特許請求の範囲】
【請求項１】
求職者にネットワークを介して質問動画を配信し、当該質問動画に応じて回答する求職者の回答画像を記録するレコーディング面接と、
ネットワークを介して動画及び音声を送受信してリアルタイムに面接を行うＷｅｂ面接と、
求職者と面接担当者とが対面で面接を行う対面面接と
の面接内容を面接結果として記録し、一元管理する第１の工程と、
前記第１の工程で一元管理された面接結果を、指定された属性を基に検索する第２の工程と、
前記第２の工程で検索された前記面接結果を表示する第３の工程と
をコンピュータに実行させる面接管理プログラム。
【請求項２】
前記第２の工程は、採用、不採用、面接予約、２次面接、保留を前記属性として指定して前記検索を行う
請求項１に記載の面接管理プログラム。
【請求項３】
前記面接結果は、予め決められた複数の評価属性の各々についての点数を示し、
前記求職者の各々について、当該求職者の前記面接結果の前記複数の評価属性の点数の平均を算出する第４の工程
をさらに有し、
前記第３の工程は、前記検索された求職者について前記第４の工程で算出された前記平均を表示する
請求項１又は請求項２に記載の面接管理プログラム。
【請求項４】
前記第３の工程は、
前記検索された求職者の面接結果として、採用、不採用、面接予約、２次面接及び保留を示す面接ステータス属性を表示する
請求項１〜３のいずれかに記載の面接管理プログラム。
【請求項５】
前記第３の工程は、
前記検索された複数の求職者の名前、年齢、性別、前記面接ステータス属性を示す第１の表示欄と、
前記第１の表示欄で指定された前記求職者の前記面接結果の詳細である評価シートと、ステータス更新操作ボタンとを含む第２の表示欄と
を表示する
請求項４に記載の面接管理プログラム。
【請求項６】
前記第３の工程は、
前記面接ステータス属性が前記採用の場合には、前記ステータス更新操作ボタンとして未出社及び退職のボタンを表示し、
前記面接ステータス属性が前記面接予約の場合には、前記ステータス更新操作ボタンとして予約キャンセル及び書類選考却下のボタンを表示し、
前記面接ステータス属性が前記２次面接の場合には、前記ステータス更新操作ボタンとして不採用のボタンを表示し、
前記面接ステータス属性が前記保留の場合には、前記ステータス更新操作ボタンとして採用及び不採用のボタンを表示する
請求項５に記載の面接管理プログラム。
【請求項７】
複数の前記面接担当者毎に、前記評価シートを作成する
請求項５に記載の面接管理プログラム。
【請求項８】
面接前に前記応募者に画面上でヒアリングシートに入力を要求し、応募者によって入力されたヒアリング結果を保存する第５の工程と、
前記面接中に前記第５の工程で保存した前記ヒアリング結果を前記面接官に表示する第６の工程と
を有する請求項１〜７のいずれかに記載の面接管理プログラム。
【請求項９】
面接中に、前記求職者に関する履歴書データと、前記ヒアリングシートとを選択的に表示する履歴書／ヒアリングシート表示領域と、
前記履歴書／ヒアリングシート表示領域に、前記履歴書データと前記ヒアリングシートとのいずれを選択して表示するかを指示するボタン画像と、
前記求職者の面接による評価を入力する評価入力欄と、
前記面接担当者がメモ入力が可能なメモ入力欄と、
を同時に表示する第７の工程と、
前記第７の工程で表示された前記ボタン画像の操作に応じて、前記履歴書／ヒアリングシート表示領域に、前記履歴書データと前記ヒアリングシートとを選択的に表示する第８の工程と
をさらに有する請求項８に記載の面接管理プログラム。
【請求項１０】
ネットワークを介して質問動画を求職者に配信し、当該質問動画に応じて回答する前記求職者の回答画像を記録するレコーディング面接手段と、
ネットワークを介して動画及び音声を送受信してリアルタイムに面接を行うＷｅｂ面接手段と、
求職者と面接担当者とが対面で面接を行う対面面接手段と、
前記レコーディング面接手段、前記Ｗｅｂ面接手段及び前記対面面接手段で得た面接内容を面接結果として記録し、一元管理する一元管理手段と、
前記一元管理手段で一元管理された面接結果を、指定された属性を基に検索する検索手段と、
前記検索手段で検索された前記面接結果を表示する表示手段と
を有する面接管理装置。
【発明の詳細な説明】
【技術分野】
【０００１】
本発明は、アルバイト等の求職側と求人側との間で面接を行うために用いられる面接管理プログラム及び面接管理装置に関する。
【背景技術】
【０００２】
近年、学生等のアルバイト募集を行う際、インターネット等の通信回線を介してオンライン面接を行う技術が提案されており、このオンライン面接技術が記載された文献としては、下記の特許文献1が挙げられる。
【０００３】
この特許文献１には、コンピュータを利用して被面接者と１人以上の面接者との間の面接日時を調整し、効率的に自由度が高く面接日時の調整を行う技術が記載されている。
【０００４】
ところで、面接には、求職者と面接担当者とがオンライン上で動画を使いながら面接を行うＷｅｂ面接と、実際に対面で面接を行う対面面接とがあるが、従来は、それぞれの面接結果が個別に管理されている。
【先行技術文献】
【特許文献】
【０００５】
【特許文献１】特開２０１０−２８２３８９号公報
【発明の概要】
【発明が解決しようとする課題】
【０００６】
しかしながら、Ｗｅｂ面接と対面面接の面接結果を個別に管理すると、面接ステータス等を特定するための検索を個別に行う必要がある共に、これらの面接結果を比較することが困難であり、効率が悪いという問題がある。
【０００７】
本発明はかかる事情に鑑みてなされたものであり、その目的は、複数のタイプの面接の面接結果を効率よく管理することを可能にする面接管理プログラム及び面接管理装置を提供することにある。
【課題を解決するための手段】
【０００８】
上述した目的を達成するために、本発明の面接管理プログラムは、求職者にネットワークを介して質問動画を配信し、当該質問動画に応じて回答する求職者の回答画像を記録するレコーディング面接と、ネットワークを介して動画及び音声を送受信してリアルタイムに面接を行うＷｅｂ面接と、求職者と面接担当者とが対面で面接を行う対面面接との面接内容を面接結果として記録し、一元管理する第１の工程と、前記第１の工程で一元管理された面接結果を、指定された属性を基に検索する第２の工程と、前記第２の工程で検索された前記面接結果を表示する第３の工程とをコンピュータに実行させる。
【０００９】
好適には、前記第２の工程は、採用、不採用、面接予約、２次面接、保留を前記属性として指定して前記検索を行う。
好適には、前記面接結果は、予め決められた複数の評価属性の各々についての点数を示し、前記求職者の各々について、当該求職者の前記面接結果の前記複数の評価属性の点数の平均を算出する第４の工程をさらに有し、前記第３の工程は、前記検索された求職者について前記第４の工程で算出された前記平均を表示する。
【００１０】
好適には、前記第３の工程は、前記検索された求職者の面接結果として、採用、不採用、面接予約、２次面接及び保留を示す面接ステータス属性を表示する。
好適には、前記第３の工程は、前記検索された複数の求職者の名前、年齢、性別、前記面接ステータス属性を示す第１の表示欄と、前記第１の表示欄で指定された前記求職者の前記面接結果の詳細である評価シートと、ステータス更新操作ボタンとを含む第２の表示欄とを表示する。
【００１１】
好適には、前記第３の工程は、前記面接ステータス属性が前記採用の場合には、前記ステータス更新操作ボタンとして未出社及び退職のボタンを表示し、前記面接ステータス属性が前記面接予約の場合には、前記ステータス更新操作ボタンとして予約キャンセル及び書類選考却下のボタンを表示し、前記面接ステータス属性が前記２次面接の場合には、前記ステータス更新操作ボタンとして不採用のボタンを表示し、前記面接ステータス属性が前記保留の場合には、前記ステータス更新操作ボタンとして採用及び不採用のボタンを表示する。
【００１２】
好適には、複数の前記面接担当者毎に、前記評価シートを作成する。
好適には、面接前に前記応募者に画面上でヒアリングシートに入力を要求し、応募者によって入力されたヒアリング結果を保存する第５の工程と、前記面接中に前記第５の工程で保存した前記ヒアリング結果を前記面接官に表示する第６の工程とを有する。
好適には、面接中に、前記求職者に関する履歴書データと、前記ヒアリングシートとを選択的に表示する履歴書／ヒアリングシート表示領域と、前記履歴書／ヒアリングシート表示領域に、前記履歴書データと前記ヒアリングシートとのいずれを選択して表示するかを指示するボタン画像と、前記求職者の面接による評価を入力する評価入力欄と、前記面接担当者がメモ入力が可能なメモ入力欄と、を同時に表示する第７の工程と、前記第７の工程で表示された前記ボタン画像の操作に応じて、前記履歴書／ヒアリングシート表示領域に、前記履歴書データと前記ヒアリングシートとを選択的に表示する第８の工程とをさらに有する。
【００１３】
本発明の面接管理装置は、ネットワークを介して質問動画を求職者に配信し、当該質問動画に応じて回答する前記求職者の回答画像を記録するレコーディング面接手段と、ネットワークを介して動画及び音声を送受信してリアルタイムに面接を行うＷｅｂ面接手段と、求職者と面接担当者とが対面で面接を行う対面面接手段と、前記レコーディング面接手段、前記Ｗｅｂ面接手段及び前記対面面接手段で得た面接内容を面接結果として記録し、一元管理する一元管理手段と、前記一元管理手段で一元管理された面接結果を、指定された属性を基に検索する検索手段と、前記検索手段で検索された前記面接結果を表示する表示手段とを有する。
【発明の効果】
【００１４】
本発明によれば、複数のタイプの面接の面接結果を効率よく管理することを可能にする面接管理プログラム及び面接管理装置を提供することができる。
【図面の簡単な説明】
【００１５】
【図１】図１は、本発明の実施形態に係る面接管理プログラムを実行する面接管理システムの全体構成図である。
【図２】図２は、本発明の実施形態に係る面接管理システムの概念図である。
【図３】図３は、面接管理システムのディスプレイに表示される応募管理画面５１の一例である。
【図４】図４は、図３に示す評価シートを説明するための図である。
【図５】図５は、図１に示す求人側ＰＣのディスプレイに表示される求人側画面を説明するための図である。
【図６】図６は、図１に示す面接管理サーバの機能ブロック図である。
【図７】図７は、図６に示す処理回路が面接管理プログラムＰＲＧを実行することで面接管理サーバが実行する処理を説明するためのフローチャートである。
【発明を実施するための形態】
【００１６】
＜第１実施形態＞
［全体構成］
図１は、本発明の実施形態に係る面接管理プログラム（装置）を実行する面接管理システム１００の全体構成図である。
【００１７】
以下、本発明の実施形態に係る面接管理プログラムを実行する面接管理システム１００は、図１に示すごとく、求人を行う企業・店舗等に設置される求人側ＰＣ（コンピュータ）１０並びにアルバイト等に応募する応募者が使用するスマートフォン等の求職側端末１１及び求職側ＰＣ１２とネットワーク１３を介して接続され、求人側からの求人情報及び求人を行う店舗・企業等の顧客情報を格納する求人情報ＤＢ（データベース）１２０と、アルバイト等の求職を行う求職者の求職情報及び求職者情報（個人情報）を格納する求職者情報ＤＢ１３０と、求人情報ＤＢ１２０及び求職者情報ＤＢ１３０を参照し、求人側の担当者と求職者との面接を行うための面接情報及び面接結果を格納する面接マッチング情報ＤＢ１４０と、求人側担当者と求職者とのオンライン面接時のオンライン動画を格納する面接録画ＤＢ１５０と、各ＤＢを参照して求人側担当者と求職者とのオンライン面接の管理を行うための面接管理サーバ１１０とを備える。
なお、求人側の機器はＰＣに限られるものではなくスマートフォン等の端末機器であっても良い。
【００１８】
面接管理サーバ１１０は、前述の面接管理機能に加えて、リアルタイムコミュニケーション用のＡＰＩの定義によりプラグイン無しでウェブブラウザ間のビデオチャットやファイル共有を行うことができるＷｅｂＲＴＣ（Ｗｅｂ  Ｒｅａｌ−Ｔｉｍｅ  Ｃｏｍｍｕｎｉｃａｔｉｏｎ）を用いてオンライン面接を仲介する機能を有する。
【００１９】
また、求人側ＰＣ１０並びに求職側端末１１及び求職側ＰＣ１２は、音声通話機能及びＷｅｂカメラによる自己撮影機能を有し、前記ＷｅｂＲＴＣを用いて面接管理サーバ１１０を介してオンライン面接を行うように構成されている。
【００２０】
［求人情報ＤＢ１２０］
求人情報ＤＢ１２０は、求人側の個別の求人情報及び求人を行う顧客情報を格納するものであって、具体的には、求人側ＰＣ１０を操作する求人側担当者が入力した求人情報を格納する個別求人情報テーブル１２１と、求人側店舗・企業等の顧客名等の顧客情報を格納する求人顧客情報テーブルとを格納する。
【００２１】
個別求人情報テーブルに格納する求人情報は、求人事案毎に一意に付与される求人ＩＤと、顧客毎に一意に付与される求人顧客ＩＤと、求人内容の職種と、複数の求人条件（例えば、時給単価、仕事従事の時刻帯、勤務地の場所、交通費支給有無その他）の各項目情報とから構成される。
【００２２】
求人顧客情報テーブルに格納する顧客情報は、顧客毎に一意に付与される求人顧客ＩＤと、顧客名と、顧客の職種と、顧客の住所と、顧客の求人担当者と、該担当者のメールアドレスと、顧客店舗等のＵＲＬと、担当者宛の電話番号等の各項目情報とから構成される。
【００２３】
［求職者情報ＤＢ１３０］
求職者情報ＤＢ１３０は、アルバイト等の求職側の個別の応募状況等の求職情報及び求職者の個人情報である求職者情報を格納する。
求職者情報は、個別の求職応募毎に一意に付与される求職ＩＤと、求職者毎に一意に付与される求職者ＩＤと、希望職種と、求職を希望する駅名等の希望エリアと、希望時給と、希望時刻帯と、就職を希望するアルバイト等の求人ＩＤと、応募の結果である合否と、当該求職に対する個別の希望等を入力するための希望等の項目情報を有する。
【００２４】
また、求職者情報は、求職者ＩＤと、求職者の氏名と、同性別と、同生年月日と、同メールアドレスと、同電話番号と、同住所と、自己紹介（文）等の職務履歴書情報（データ）を含む。
【００２５】
なお、面接管理システム１００では、面接管理システム１００の運営会社以外の求人媒体２２に求職者が求職者端末１１を使って入力した求職者情報を、一定条件の下、求人媒体２２のサーバにアクセスして自動的に取得し、レコーディング面接４１、Ｗｅｂ面接４３及び対面面接４５で所定のフォーマットに変換して職務履歴書情報として求職者情報ＤＢ１３０に記憶する。
【００２６】
［面接マッチング情報ＤＢ１４０］
面接マッチング情報ＤＢ１４０は、求人ＩＤ毎の面接希望者及び希望日時を格納する面接希望者テーブルと、求人ＩＤに対応した面接日時毎の求職者を格納する面接スケジュールテーブルと、求人ＩＤ及び求職者毎の面接結果及び面接終了日時を格納する面接結果情報テーブルとを格納する。
【００２７】
面接希望者テーブルは、複数の求人ＩＤに対応した複数の求職者ＩＤ及び該求職者毎の面接希望日時を格納し、例えば、求人ＩＤ「Ｑ０８０１００１」に対して複数の求職者（求職者ＩＤ）が各自の都合に合わせた時刻帯に面接を希望していることを表している。
【００２８】
面接スケジュールテーブルは、複数の求人ＩＤに対応した日付及び時間帯毎の面接を希望する求職者ＩＤを格納する。
面接結果情報テーブルは、複数の求人ＩＤに対応した面接希望者（求職者）毎の求職者ＩＤと面接結果（採用、不採用、面接予約、２次面接、保留、辞退その他）と、評価シートと、面接終了日時刻を格納する。面接結果情報は、レコーディング面接４１、Ｗｅｂ面接４３及び対面面接４５で共通である。
【００２９】
［面接録画ＤＢ１５０］
面接録画ＤＢ１５０は、求職者と店舗等の求人側担当者とが面接介在システム１００の面接管理サーバ１１０のＷｅｂＲＴＣを用いてオンライン面接を行ったとき、求人側ＰＣｌ０並びに求職側端末１１及び求職側ＰＣ１２から受信したオンライン動画データ及び音声データとを合成して面接毎に面接ＩＤを付与して記録するものである。なお、オンライン動画画像の合成とは、一方の画像（例えば、求職者の上半身画像）をメイン画像とし、このメイン画像の一部領域に他の画像（例えば、求人側担当者の上半身画像）をサブ画像として合成するものである。
【００３０】
また、本実施形態における各種ＤＢに登録する各種情報は、前述のものに限られるものではなく、運用時の必要に応じて訂正・削除・追加しても良い。
【００３１】
図２は、図１に示す面接管理システム１００の概念図である。
図２に示すように、面接管理システム１００では、例えば、レコーディング面接（手段）４１、Ｗｅｂ面接（手段）４３及び対面面接（手段）４５の面接内容を面接結果として記録する。
具体的には、求職者の属性情報を求職者情報ＤＢ１３０に記録し、面接結果情報を面接マッチング情報ＤＢ１４０に記憶し、面接録画を面接録画ＤＢ１５０に記憶する。
【００３２】
レコーディング面接４１は、求職者端末１１にネットワーク１３を介して質問動画を配信し、当該質問動画に応じて回答する求職者の回答画像あるいは回答結果を記録する。そして、面接担当者が、面接担当者ＰＣ１０にて回答動画を再生すると共に、回答結果を表示して面接結果を生成する。また、質問動画及び回答動画は、面接録画ＤＢ１５０に記録され、回答結果及び面接結果は面接マッチング情報ＤＢ１４０に記憶される。
【００３３】
Ｗｅｂ面接４３は、ネットワーク１３を介して、求職者端末１１と面接担当者ＰＣ１０との間で動画及び音声を送受信してリアルタイムに面接を行う。面接担当者は、面接担当者ＰＣ１０を操作して面接結果を生成する。送受信された動画及び音声は面接録画ＤＢ１５０に記録され、回答結果及び面接結果は面接マッチング情報ＤＢ１４０に記憶される。
【００３４】
対面面接４５ｈは、求職者と面接担当者とが例えば面接室内で対面で面接を行う。面接は、例えば、録画されている。面接担当者は、面接担当者ＰＣ１０を操作して面接結果を生成する。録画の動画及び音声は面接録画ＤＢ１５０に記録され、面接結果は面接マッチング情報ＤＢ１４０に記憶される。
【００３５】
面接管理システム１００では、上述したレコーディング面接４１、Ｗｅｂ面接４３及び対面面接４５の面接結果を記録し、一元管理（一元管理手段）することを特徴とする。このように一元管理していることから、同一の検索画面から、共通の属性を指定（入力）して検索（検索手段）して表示（表示手段）できる。
【００３６】
図３は、面接管理システム１００のディスプレに表示される応募管理画面５１の一例である。
図３に示すように、応募管理画面５１は、例えば、上側の検索欄５３と、左側の第１の表示欄５５と、右側の第２の表示欄５７とを有する。
検索欄５３には、キーワード入力欄と、ステータス属性指定欄と、検索ボタン等が表示されている。
【００３７】
ステータス属性指定欄には、採用、不採用、面接予約、２次面接、保留のそれぞれに対応したチェックボックスが表示されている。
当該チェックボックスにチェックを入れた後に検索ボタンを指定すると、当該チェックが入ったステータス属性を持つ検索結果のみが第１の表示欄５５に表示される。
【００３８】
第１の表示欄５５には、検索結果、すなわち、レコーディング面接４１、Ｗｅｂ面接４３及び対面面接４５の面接結果を対象に検索された複数の求職者の顔写真、名前、年齢、性別、応募日、面接日、面接ステータス属性が表示される。
また、第１の表示欄５５には、評価シート内の予め決められた複数の評価属性の各々についての点数の平均が表示される。
【００３９】
第２の表示欄５７には、第１の表示欄５５で指定された求職者の面接結果の詳細である評価シート７１と、ステータス更新操作ボタン５２とが表示される。
その他、第２の表示欄５７には、顔写真、名前、年齢、性別、応募日、面接日、面接ステータス属性、面接動画の再生ボタン、基本情報（電話番号、住所、現在の職業、最終学歴等）が表示される。
【００４０】
面接ステータス属性が採用の場合には、ステータス更新操作ボタン５２として未出社及び退職のボタンが表示される。また、面接ステータス属性が面接予約の場合には、ステータス更新操作ボタン５２として予約キャンセル及び書類選考却下のボタンが表示される。また、面接ステータス属性が２次面接の場合には、ステータス更新操作ボタン５２として不採用のボタンが表示される。また、面接ステータス属性が保留の場合には、ステータス更新操作ボタン５２として採用及び不採用のボタンが表示される。
【００４１】
図４は、図３に示す評価シート７１を説明するための図である。
図４に示すように、評価シート７１は、第１印象、コミュニケーション、表現力、考え方、印象態度、判断力のカテゴリについて、各々複数の評価属性をし、各評価属性について５段階で評価する。そして、各カテゴリ毎に平均を算出して表示すると共に、全体の平均を算出して表示する。また、カテゴリの平均をグラフ表示する。評価シート７１は、１次面接及び２次面接の各々について生成・保存すると共に、複数の面接担当者の各々について生成・保存できる。すなわち、アイコンをクリックして、面接者を追加して保存することで、簡単に面接担当者毎に新たな評価シートを生成できる。
【００４２】
面接管理システム１００は、求職者（面接予定者）に対して面接前にヒアリングシートへの入力を要求する。具体的には、面接管理システム１００は、求職者端末１１のヒアリングシートの情報を送信して表示させ、画面上で回答を入力させる。そして、面接管理システム１００は、求職者端末１１から入力した回答であるヒアリングシート（ヒアリング結果）を面接マッチング情報ＤＢ１４０に記憶する。
【００４３】
図５は、図１に示す求人側ＰＣ１０のディスプレイに表示される求人側画面４１を説明するための図である。求人側画面４１は、面接管理サーバ１１０における処理に応じて表示される。
面接管理システム１００は、例えば図５に示す求人面接画面１４１（番号変更）において、表示領域１５３の上の操作ボタンの操作に応じて、職務履歴書とヒアリングシートとを選択的に表示する。
【００４４】
図５に示すように、求人側画面１４１には、動画表示領域１５１、履歴書表示領域１５３、評価入力欄表示領域１５５及びメモ欄表示領域１５７を有する。
動画表示領域１５１には、求職側端末１１及び求職側ＰＣ１２のカメラで撮像された求職者のオンライン動画１６１が表示される。
履歴書／ヒアリングシート表示領域１５３には、当該求職者の履歴書データと、ヒアリングシートとが選択的に表示される。当該選択は、ボタン画像１５２への操作によって行われる。
評価入力欄表示領域１５５には、当該求職者の評価入力欄１６５が表示される。
メモ欄表示領域１５７には、当該求職者のメモ入力欄１６７が表示される。
【００４５】
動画表示領域１５１の下方にメモ欄表示領域１５７及び評価欄表示領域１５５が位置する。また、動画表示領域１５１の右側に履歴書表示領域１５３が位置している。なお、動画表示領域１５１の左側に履歴書表示領域１５３を位置させてもよい。
初期状態では、動画表示領域１５１は、履歴書表示領域１５３、評価入力欄表示領域１５５及びメモ欄表示領域１５７に比べて大きい。
なお、求人側ＰＣ１０の操作者が、動画表示領域１５１、履歴書表示領域１５３、評価入力欄表示領域１５５及びメモ欄表示領域１５７を指定操作（ポインタでダブルクリック等）をすることで、当該指定操作された領域が拡大するようにしてもよい。
【００４６】
［面接管理サーバ１１０］
図６は、図１に示す面接管理サーバ１１０の機能ブロック図である。
図６に示すように、面接管理サーバ１１０は、例えば、インタフェース１２１、ディスプレイ１２２、操作部１２３、メモリ１２４及び処理回路１２５を有し、これらがバス１２０を介して接続されている。
【００４７】
インタフェース１２１は、他のコンピュータ、例えば求人側ＰＣ１０、求職側端末１１、求職側ＰＣ１２と通信を行うために用いられる。
ディスプレイ１２２は、処理回路２５が実行する面接管理プログラムＰＲＧが提供する様々な画面を表示する。
【００４８】
操作部１２３は、キーボードやマウス等の操作手段である。
メモリ１２４は、処理回路２５が実行する面接管理プログラムＰＲＧ、処理回路２５の処理に用いられるデータを一時的に記憶する。
処理回路１２５は、プログラムＰＲＧを実行して、面接管理サーバ１１０の処理を統括的に制御する。
本実施形態で示される面接管理サーバ１１０の処理は、プログラムＰＲＧに記述されている。
【００４９】
図４は、処理回路１２５が面接管理プログラムＰＲＧを実行することで面接管理サーバ１１０が実行する処理を説明するためのフローチャートである。
以下、図４に示す各ステップを説明する。以下の各ステップは、回路モジュール等の手段によって実現してもよい。
【００５０】
ステップＳＴ１：
面接管理サーバ１１０の処理回路１２５は、レコーディング面接４１、Ｗｅｂ面接４３及び対面面接４５の面接結果を入力したか否かを判断し、肯定判定の場合にステップＳＴ２に進む。
【００５１】
ステップＳＴ２：
処理回路１２５は、ステップＳＴ１で入力した面接結果を求職者情報ＤＢ１３０、面接マッチング情報ＤＢ１４０及び面接録画ＤＢ１５０に記録する。このとき、処理回路１２５は、レコーディング面接４１、Ｗｅｂ面接４３及び対面面接４５の面接結果が、一元的に検索可能な形式で記録を行う。
【００５２】
ステップＳＴ３：
処理回路１２５は、例えば、面接担当者ＰＣ１０における検索操作に応じた検索指示を入力したか否かを判断し、肯定判定の場合にステップＳＴ４に進む。当該検索操作は、例えば、面接担当者ＰＣ１０のディスプレイに表示された図３に画面上で実行される。
【００５３】
ステップＳＴ４：
処理回路１２５は、ステップＳＴ３で入力された検索指示で指定された条件に合致した検索結果を、例えば、図３に示すように画面上に表示する。
【００５４】
ステップＳＴ５：
処理回路１２５は、例えば、ステータス更新指示が入力されたか否かを判断し、肯定判定の場合にステップＳＴ６に進む。ステータス更新指示の操作は、面接担当者ＰＣ１０のディスプレイに表示された図３の第２の表示欄５７の、ステータス更新操作ボタンを操作（例えばクリック操作）して行われる。
【００５５】
ステップＳＴ６：
処理回路１２５は、ステップＳＴ５で入力したステータス更新指示に応じて、面接マッチング情報ＤＢ１４０に記憶された面接結果のステータスを更新する。
【００５６】
以上説明したように、面接管理サーバ１１０によれば、レコーディング面接４１、Ｗｅｂ面接４３及び対面面接４５の面接内容を面接結果として一元管理でき、面接ステータス等を容易に検索でき、面接効率を高めることができる。
【００５７】
また、面接管理サーバ１１０によれば、評価シート７１を基に求職者の面接結果を、平均点等で容易には把握でき、採用の判断の効率を高めることができる。
【００５８】
また、面接管理サーバ１１０によれば、オンラインで面接を行う際に、求人側ＰＣ１０に図３に示す求人側画面４１を表示でき、求職者のオンライ動画６１及び履歴書データ６３を見ながら、評価入力欄６５に評価を入力できると共に、メモ入力欄６７にメモを入力できる。これにより、オンライン面接を効率的に行うことができる。
【００５９】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【産業上の利用可能性】
【００６０】
本発明は、オンライン面接システムに適用可能である。
【符号の説明】
【００６１】
１０…求人側ＰＣ
１１…求職側端末
１２…求職側ＰＣ
１３…ネットワーク
４１…レコーディング面接（手段）
４３…Ｗｅｂ面接（手段）
４５…対面面接（手段）
５１…応募管理画面
５２…ステータス更新操作ボタン
５３…検索欄
５５…第１の表示欄
５７…第２の表示欄
７１…評価シート
１１０…面接管理サーバ
１２１…インタフェース
１２２…ディスプレイ
１２３…操作部
１２４…メモリ
１２５…処理回路
１４１…求人側画面
１５１…動画表示領域
１５２…ボタン画像
１５３…履歴書／ヒアリングシート表示領域
１５５…評価入力欄表示領域
１５７…メモ欄表示領域
１６１…オンライン動画（求職者）
１６３…履歴書データ
１６５…評価入力欄
１６７…メモ入力欄
【図１】
2018181257.tif 000003
【図２】
2018181257.tif 000004
【図３】
2018181257.tif 000005
【図４】
2018181257.tif 000006
【図５】
2018181257.tif 000007
【図６】
2018181257.tif 000008
【図７】
2018181257.tif 000009